Podtech/llm-jp-corpus-v4-ja_patent huggingface dataset:
(57)【要約】      （修正有）【課題】嵩が高くなく、洗濯時の取り扱いが容易であり、乾燥しやすい経編寝装用布帛を提供する。【解決手段】経て編み形式で製品を製作する場合、編成組織に用いる素材に高性能な速水分吸収糸、速乾燥性の糸に現在の産業界で好評な合成繊維を用い、製品内部に空洞組織を立体的に作成する為の特殊加工により性能を発揮する高収縮糸を用いる。そして使用する人のなごむようなデザイン性を考慮した編成組織と高収縮糸の組み合わせを機械的技術で実行する。具体的には、紡績糸をもって編成した経編基布の緯糸部分を跳ぶように高収縮弾性糸を斜線を描く様に編成して編布を作り、この高収縮弾性糸の収縮力を用いて、基布に凹凸を設けた経編寝装用布帛である。【選択図】図５
0003129428.tif 000002
【実用新案登録請求の範囲】
【請求項１】
紡績糸をもって編成した経編基布の緯糸部分を跳ぶように高収縮弾性糸を斜線を描く様に編成し編布を作り、この高収縮弾性糸の収縮力を用い、基布に凹凸を制作した経編寝装用布帛。
【考案の詳細な説明】
【技術分野】
【０００１】
本考案は、夏冬兼用で快適に使用できる軽量、耐洗濯性に富んだ寝装用布帛に関するものである。本考案は経て編み機械による鎖状に編む糸と緯挿入糸により経編基布を編成し高収縮弾性糸を挿入する寝装用布帛である。
【背景技術】
【０００２】
従来一般に使用されている寝装用には人体に直に接する布帛状の物は春用、夏用、秋冬用と季節に分かれて使用されている。従って季節によって使い分けする為、使用枚数が多く、貯蔵場所が多く必要とする。使用後の洗濯の場合には夏用の布帛でも重量が多く、取り扱いしにくく、乾燥時間を必要とし、生活の合理的な時間の無駄が発生する。特に老齢者用には取り扱いに適していない問題がある。
【０００３】
この改善策としては、経て編みの機械によって通気性と保温性を兼ねた組織を作り、使用する素材を合繊紡績糸、天然繊維紡績糸を季節目的に合わせて編成し、軽く取り扱いし易い製品を製造した。
【特許文献１】実用新案第３０６０３９５号公報
【特許文献２】特開２００２−３６９７３９号公報
【考案の開示】
【考案が解決しようとする課題】
【０００４】
解決しようとする問題点は出来る限り軽くする必要ある目的から経編み機の特色を活用し基布の模様を空白の多い模様に制作する。従来市場にある高密度の寝具用の織物は基本的に重いので、当社は最終製品で軽くなるよう考案した。
【課題を解決するための手段】
【０００５】
本考案の図１に示す経編機のニードルにより基布の編成状態を機械的な作動により織り布の出来ない多孔製品ができる、これを活用し、製品を作るための基布として母体の片面全部分に用いる。この基布を制作と同時に高性能の高収縮糸を挿入することとした。特性の収縮糸を幾何学的にテンションが発生し図５に示すの写真の如く基布に波の如き立体的な製品が生まれた。
【考案の効果】
【０００６】
本考案の経て編機によって給糸する高収縮糸の挿入は隣接する鎖編み糸間との繋がりを取りながら、緯度間を縦に対し直線状か、斜め状に浮かし跳び凹凸模様を描く為には非常に技術を要した。完成した製品は縦糸に紡績糸を活用したため、軽くなり、通常洗濯機には従来の毛布状布は５〜６枚しか投入出来ないが、本考案の製品は同じ洗濯機に５〜７枚多く洗いやすく、基布を編成した多孔組織によって乾燥が速く、その後の使用する時のドレープ性に富み、柔らかい凹凸加工によって肌触りを良好にしている。軽く青少年スポーツマンの持ち運び容易な寝装用布帛として製品は好評である。
【考案を実施するための最良の形態】
【０００７】
このさざなみ形式の連続的なシート状の製品を完成するため編成時に発生しやすい何千本の各種性質の異なる糸のテンション斑を３ｍ巾に渡り均一にする、そして高収縮糸の加工条件による収縮倍率を何百本の中の一本とも異常にしない事が、製品化するために重要である。
【実施例】
【０００８】
本考案の図１（ａ）に示す経編機のニードルにより基布の編成の状態を拡大図（ｂ）に示す様に制作するが、図１（ｃ）に示すように鎖編糸１と緯挿入糸２による編成を構成する。図２に示す様に制作図（ａ）の空白を示す３の部分を機械的な作動により亀甲模様の白い製品の図２（ｂ）ができる、此れを製品を作るための基布として母体の片面全部分に活用する。この基布を制作するときに（図３）に示す様に高性能の高収縮糸ＸとＹを挿入することとした。特性の作動が出来る器具を用い（ａ）や（ｂ）の図形の如く収縮糸を斜線状に、そして緯度を一段ずつでは無く２段、３段から９段まで接結点無く跳ばす事とした。図４に示す如く未完成の半製品写真（ａ）−１，（ｂ）−１の如くである。この半製品に特殊な条件を与えると高収縮糸の性能により収縮が発生し図５に示す４枚の写真の如く基布に波の如き立体的な製品が生まれた。この波形立体的シート状の物が寝装用布帛として使うために、横幅最大３ｍの連続製品として生産する。本考案の最終製品は寝装品であるから、消費者の取り扱いが、軽く、耐洗濯性が良いと判断するために、波形状の立体形式を考案し活用した布帛である。
【産業上の利用可能性】
【０００９】
従来から寝具用品に用いられているのはほとんどが織機による織物製品であった、しかしそれらは早くから製造を着手する為に、材料の手配、配色指図、販売価格の予測をしなければならない、この考案によると生産の速度が速く、機械的なデザイン変更が容易に出来、多孔模様の数、寸法も変えることが出来る。更に消費者の最も要求の強いのは軽くて、洗濯時の乾燥速度を速くすることである。この世相に反映させるためには充分である。
【図面の簡単な説明】
【００１０】
【図１】経編機のニードルにより基布の編成状態を示す立体図（ａ）、基本的な一部拡大平面図（ｂ）、鎖編と緯挿入糸による編成を構成した図（ｃ）、この編成状態を具体的に作図で表現した（ｄ）。
【図２】鎖状に編む糸と緯挿入糸の編成によって製造される状態を説明する一部拡大図であり斜線を示す（１）は亀甲状の空白部分を編成する制作図（ａ）、具体的に連続組織として亀甲模様の基布が製造される状態を示す一部拡大図（ｂ）
【図３】製品の亀甲状編目の基布の編成の際、（ａ）に示す高収縮糸の挿入を示す組織図である。この高収縮糸の挿入を（ｂ）にも挿入する
【図４】本考案寝装用の亀甲模様の基布に凹凸状を作成するための高収縮糸を編成し製品加工する前の未完成写真（ａ）を示す。高収縮糸の挿入を直線に緯跳び状に示す未完成写真（ｂ）である。
【図５】加工完了の製品写真（ａ）（ｂ）（ｃ）
【図６】高収縮糸のジグザグ緯跳び状態にて制作した製品写真（ａ）（ｂ）
【符号の説明】
【００１１】
１  鎖編糸（紡績糸）
２  緯挿入糸（紡績糸）
Ｘ    高収縮糸
Ｙ    高収縮糸
【図１】
0003129428.tif 000003
【図２】
0003129428.tif 000004
【図３】
0003129428.tif 000005
【図４】
0003129428.tif 000006
【図５】
0003129428.tif 000007
【図６】
0003129428.tif 000008
(57)【要約】      （修正有）【課題】優れた保温効果を有し且つ軽量の布地を提供する。【解決手段】綿、麻、又は人造繊維からなる布材１０の一側面に遠赤外線効果を有する粉末を含むゲル層１１が設けられ、ゲル層１１は更に水晶の粉末を含むことを特徴とする。また、ゲル層１１には、更に磁石の粉末を添加しても良く、これにより磁場を発生させて、この磁場効果によって保健効果を高めることができる。【選択図】図１
0003129441.tif 000002
【実用新案登録請求の範囲】
【請求項１】
綿、麻、又は人造繊維からなる布材の一側面に遠赤外線効果を有する粉末を含むゲル層が設けられることを特徴とする布地。
【請求項２】
前記ゲル層は更に水晶の粉末を含むことを特徴とする請求項１に記載の布地。
【考案の詳細な説明】
【技術分野】
【０００１】
本考案は、特に優れた保温効果を有する軽量の布地に関するものである。
【背景技術】
【０００２】
一般の衣服は、防寒及び保温の効果を有するが、布地の材質により、その防寒及び保温効果が異なってくる。又、通常の衣服は、殆んど、綿、麻、又は人造繊維の布地から縫製されるが、これらのうちでは綿製の衣服が最も防寒及び保温効果に優れている。
【考案の開示】
【考案が解決しようとする課題】
【０００３】
しかしながら、綿製の衣服は優れた防寒及び保温効果を達成できるものの、防寒及び保温効果を更にいっそう向上させたい場合には、衣服材料の生地の厚さを厚くしなければならない。しかし、生地の厚さを厚くした場合には、衣服全体の重量も増加してしまうので、これが悩みの種であった。
そこで、案出されたのが本考案であって、優れた保温効果を有し且つ軽量の布地を提供することを目的としている。
【課題を解決するための手段】
【０００４】
本願の請求項１の考案は、綿、麻、又は人造繊維からなる布材の一側面に遠赤外線効果を有する粉末を含むゲル層が設けられることを特徴とする布地を提供することにある。
【０００５】
本願の請求項２の考案は、前記請求項１に記載の布地において、前記ゲル層は更に水晶の粉末を含むことを特徴とする。
【考案の効果】
【０００６】
本考案は上記の課題を解決するものであり、綿、麻、又は人造繊維からなる布材の一側面に遠赤外線効果を有する粉末を含むゲル層が設けられるので、大量の布材を使用することなく、優れた防寒及び保温効果を達成できる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【０００８】
図１は本考案に係る布地の実施例を示す断面図である。
図１に示すように、本考案に係る布地は、綿、麻、又は人造繊維からなる布材１０の一側面に遠赤外線効果を有する物質の粉末と水晶の粉末を含むゲル層１１が設けられる。
【０００９】
そして、本考案に係る布地は、前記ゲル層１１を設けた後、防水加工、防火加工を行うことにより、布地に様々な効果を付加することができる。この防水加工や防火加工はよく使用されている方法であるので、その説明を省略する。
【００１０】
又、前記ゲル層１１は更に磁石の粉末を添加し、該磁石の粉末によって発生する磁場効果により、保健効果を提供できる。
【００１１】
本考案に係る布地は、そのゲル層１１に遠赤外線効果を有する粉末と水晶の粉末を含むので、例えば、寝袋、保温袋、マットレス、潜水服、ダウンジャケット、オートバイ服、戦闘服、軍服、警察用服、防寒服など、様々な衣服や布材の製品を製造できる。
更には、寒冷地域で使用する衣服の開発に使用すれば、衣服の重量と製造コストを減少する効果を有する。
【００１２】
本考案に係る布地は、一側面に遠赤外線効果を有する粉末を含むゲル層が設けられるので、大量の布材を必要とせずに、優れた防寒及び保温効果を達成できる。
台湾紡織産業綜合研究所の試験により、本考案に係る布地は、一般の布材より５℃高い保温効果を有し、更に、該ゲル層に含まれる遠赤外線効果を有する粉末と磁石の粉末により、人体の保健効果を提供することができることが立証されている。
【産業上の利用可能性】
【００１３】
本考案は上記の構成を有し、綿、麻、又は人造繊維からなる布材の一側面に遠赤外線効果を有する粉末を含むゲル層が設けられるので、多量の布材を必要とせずに、優れた防寒及び保温効果が達成できる。
【図面の簡単な説明】
【００１４】
【図１】本考案に係る布地の実施例を示す断面図である。
【符号の説明】
【００１５】
１０        布材
１１        ゲル層
【図１】
0003129441.tif 000003
(57)【要約】      （修正有）【課題】材料の長所を活かして、支えがなくても、座ったり、腰かけたり、さらに赤ちゃんを抱いたりできる、親しみのある、しぐさの豊かな布製の手づくり人形を提供する。【解決手段】布製の胴体２と、この胴体の上部に取り付けられる頭部１と両肩部８に取り付けられる中空の布製ループの両手３を備え、胴体の下部を下端部前面に切欠きを設けた円筒材に底面が平らになるように配置し、円筒材の切欠きを通じて中空の布製ループを、胴体底部に縫合することにより２本の足６としたことを特徴とする座り人形にする。さらに，中空の布製のループを布地のバイアステープを円筒に形成させたもの又は布製のひも状ループとした場合，より人形に種々の形態をとらせることを可能としたものである。【選択図】図１
0003129438.tif 000002
【実用新案登録請求の範囲】
【請求項１】
布製の胴体と、この胴体の上部に取り付けられる頭部と両肩部に取り付けられる中空の布製ループの両手を備え、胴体の下部を下端部前面に切欠きを設けた円筒材に底面が平らになるように配置し、円筒材の切欠きを通じて中空の布製ループを、胴体底部に縫合することにより２本の足としたことを特徴とする座り人形。
【請求項２】
中空の布製のループを布地のバイアステープを円筒に形成させたもの又は布製のひも状ループとした請求項１記載の座り人形。
【考案の詳細な説明】
【技術分野】
【０００１】
本考案は、布製の座りの良い、しぐさの豊かな座り人形に関するものである。
【背景技術】
【０００２】
古来より、多くの布製の人形が、さまざまな形で作られ、親しまれてきた。これまで特許文献１に胴体に円柱状のものを設けた人形が示されているが、切り欠きを有した円筒材ではなく座り人形とはなっていない。
【特許文献１】実開昭５１−１０４０８８
【考案の開示】
【考案が解決しようとする課題】
【０００３】
布製の足のついた人形の数多くは、自由に座らせることができず，何かに寄りかからせるか、寝かせるしかできなかった。さまざまなしぐさで、人とのふれ合いを可能とし、人の心をいやす手助けができる人形は見受けられなかった。座りのよいしぐさの豊かな人形づくりには、腰を平面に対して安定させる方法と手足を自由に折り曲げたり、動かせたりすることができる工夫が必要である。
【課題を解決するための手段】
【０００４】
本考案は，布製の胴体と、この胴体の上部に取り付けられる頭部と両肩部に取り付けられる中空の布製ループの両手を備え、胴体の下部を下端部前面に切欠きを設けた円筒材に底面が平らになるように配置し、円筒材の切欠きを通じて中空の布製ループを、胴体底部に縫合することにより２本の足としたことを特徴とする座り人形にすることでこれらの問題点を解決している。さらに，中空の布製のループを布地のバイアステープを円筒に形成させたもの又は布製のひも状ループとした場合，より人形に種々の形態をとらせることが可能となる。
【考案の効果】
【０００５】
胴体と切り欠きのついた円筒材を組み合わせること，及び中空にした布製ループにより手足の作り方が種々可能となり、さまざまな種類の座りの良い人形態様を提供できるようになる。じっと人形自体の姿をみるだけでなく、親しい人とも、または、自分ひとりでも人形でさまざまな姿を作り出すこともできるようになる。正座したり、腰かけたりはもちろんのこと、足を組んだり、通称体育座り、また人形の友だちと肩を組み合ったり、赤ちゃんを抱っこしたり、実に美しい、麗しい姿を作り出し、楽しむことができるようになる。老若男女、今昔の人々を表すのみならず、外国人も含め、さらに、動物も加え、多くの人形が作り出せるようになる。何かに寄りかかるか、寝ているしかできない人形も、円筒材の組み合わせと、材料を選択して作った中空のロープの考案で、人の心を楽しませ、癒すことができるようになる。贈り物、お見舞い、お土産等にも利用できるようになる。
【考案を実施するための最良の形態】
【０００６】
この人形作りのための素材の選択は、人形の出来上がりに大きく影響を及ぼす。特に手足用素材には、絹や化学繊維の縮緬等をバイヤスにとり、縫い合わせて中空のループに使用する。しわのつきにくい、柔らかい材料を選ぶ。出来上がりはやや固い感じはするが、木綿のループもそのまま使用できる。胴体の円筒材は、塩化ビニールのホースか、細いチューブを短く切断して使用する。又は、竹筒や紙筒も利用できる。
【実施例】
【０００７】
図１に従い説明する。布を胴体の形に合わせて袋状とし、綿を適量詰めて開口部をぐし縫いした後絞り，胴体２を作った。塩化ビニールホースを胴体の長さのほぼ二分の一に切断し、三角状の切り欠き９を同ホースの下端部前面の下から三分の二の位置まで形成し，円筒材５とした。塩化ビニールホースの代わりに竹や紙筒を用いることもできた。布を円形に切り取って、中に綿を適量詰めて周りをぐし縫いし絞ることにより頭部１を作った。
【０００８】
図２に従い、胴体２の底が円筒材５の底面より約５ｍｍ内側に来るような高さまで挿入して胴部を形成させた。化学繊維布製の縮緬からなるバイヤステープを好みの長さに切り筒状に縫い合わせ、縫い代の部分が内側となるように折り返しループとした。次にループの両端から５ｍｍの各々の位置をぐし縫いし，それぞれ糸を強く引いて絞り，一方を肩側とし，他方を手首側とした。さらに手首側の先を二つ折りにしてぐし縫いにして糸を軽く引き手首としその先を三目ほど縫って掌の感じを出し手部３とした。
【０００９】
胴体２の両肩部８に手部３を縫いつけた。化学繊維布製の縮緬からなるバイアステープを足とする長さの二倍に縫い代を合わせた長さに切り取り、筒状になるように縫い合わせ、縫い代の部分を中に折り込みループとした。それを三角折部１０を形成するように二つ折りし、その先に短く切った細いチューブを入れ、フェルトを好みの履物の形に切り接着剤で接着し、足部６とした。なお、履物の材料は、フェルトの代わりに厚い布地又は皮としても支障なく作ることができた。
【００１０】
図３に従い、足部６の三角折部１０を円筒材５の切り欠き部９を通して、胴体２の下部に当て、５針で縫い付けた。さらに、胴体２の上部に短く切った竹串を用いて頭部１を取り付けた。別に仕立てた衣装等で着飾り座りのよい豊かなしぐさのできる座り人形とすることができた。
【図面の簡単な説明】
【００１１】
【図１】本考案に係る全体図である。
【図２】人形の胴体と円筒材の取り付けを示した図である。
【図３】円筒材への足の取り付けを示した図である。
【図４】人形の使用形態を示した図である。  （ａ）足を伸ばした座り  （ｂ）腰かけた座り  （ｃ）通称体育座り  （ｄ）正座  （ｅ）親が子どもを抱っこした姿
【符号の説明】
【００１２】
１  頭部
２  胴体
３  手部
４  手首部
５  円筒材
６  足部
７  足先部
８  両肩部
９  切り欠き部
１０  三角折部
【図１】
0003129438.tif 000003
【図２】
0003129438.tif 000004
【図３】
0003129438.tif 000005
【図４】
0003129438.tif 000006
(57)【要約】 【課題】長尺木材の縦割りを行なう楔形金具（金矢）を使い易くして、作業能率を高める新規な楔金具を提供する。【解決手段】  頂部に打撃受け部１１を備え、底辺に刃先部１２を備えると共に、適宜箇所に柄着脱部（端面に設けた螺穴や両側面に設けた溝部）１３を備える楔本体１と、適宜な把手部２１を備えると共に、前記柄着脱部１３と対応する装着構造（螺棒や二股棒）２２を備えた柄体２とで構成してなる。【選択図】図１
0003129483.tif 000002
【実用新案登録請求の範囲】
【請求項１】
頂部に打撃受け部を備え、底辺に刃先部を備えると共に、適宜箇所に柄着脱部を設けた楔本体と、前記柄着脱部と対応する装着構造を備えた柄体とで構成してなることを特徴とする楔金具。
【請求項２】
楔本体の適宜箇所に穴部を穿設し、柄体先部に前記穴部に挿入可能とした差込部を設けてなる請求項１記載の楔金具。
【請求項３】
穴部を螺穴に形成し、差込部を螺棒としてなる請求項２記載の楔金具。
【請求項４】
楔本体の両側面適宜箇所に溝部を設け、柄体先部に前記溝部と対応する二股の装着部を設けてなる請求項１記載の楔金具。
【考案の詳細な説明】
【技術分野】
【０００１】
本考案は、木材の縦割りに使用する金矢と称されている楔金具に関するものである。
【背景技術】
【０００２】
木材の縦割りにおいて、一般に鉞が知られているが、前記の鉞は柄を備えており（特許文献１、実開昭５８−１８５１７９号公報）、単体で木材の木口からの縦割りを実現している。然し長尺木材の縦割りにおいては、木材の木口からの縦割りを行うことができないので、鉞の頭部金具のみを備えた形態の金矢と称されている金属製の楔形金具を使用し、木材の周面から割りを実施しているものである。
【０００３】
即ち長尺木材の縦割りに際しては、鉞を振り回して木材の周面へ食い込ませる場合に、必ずしも特定の部位に正確に食い込ませることができず、ずれてしまう虞が大きい。また鉞の頭部を更にハンマー等によって強打して鉞頭部の刃先を更に深く木材に食い込ませる場合には、柄が邪魔になってしまう。
【０００４】
このために長尺木材の縦割りに際しては、前記したとおり金矢と称されている金属製の楔形金具が使用されるもので、所定の箇所に配置した楔形金具に打撃を加えて木材に喰い込ませ、更にハンマーによって楔形金具を強打し、相応の割れが生じたなら、その割れ目に木製楔を打ち込んで割れ目を確保し、次の箇所で楔形金具を打ち込み、更に割れ目を形成するようにして長尺木材の縦割りを実施しているものである。
【０００５】
【特許文献１】実開昭５８−１８５１７９号公報
【考案の開示】
【考案が解決しようとする課題】
【０００６】
ところで、楔形金具（金矢）を使用する場合に、前記金具を所定の位置に置き、強打する前に木材に食い込ませて直立状態としなければならない。この金具直立作業は、金具を手で保持して、ハンマーによって打撃を加えるものであるが、金具保持者に怪我をさせないように慎重に行なわなければならなく、弱打を数回繰り返すことによって行なうことになり、作業能率低下の原因となっている。
【０００７】
そこで本考案は、金具直立作業を効果的に行うことのできる新規な楔金具を提案したものである。
【課題を解決するための手段】
【０００８】
本考案に係る楔金具は、頂部に打撃受け部を備え、底辺に刃先部を備えると共に、適宜箇所に柄着脱部を設けた楔本体と、前記柄着脱部と対応する装着構造を備えた柄体とで構成してなることを特徴とするものである。
【０００９】
而して楔本体に柄体を装着した状態で、切断対象の木材の所定箇所に楔本体が位置するように柄体を握持し、楔本体をハンマーで強打して木材に喰い込ませ、楔本体を直立状態とし、柄体をはずした後、更に楔本体をハンマーで強打して木材の縦割りを実現する。
【考案の効果】
【００１０】
本考案の楔金具は上記の構成を備えたもので、初期の楔本体の直立作業時にのみ柄体を楔本体に装着して前記の直立作業を容易に且つ効率的に行なえるようにし、木材の縦割り作業時には邪魔になる柄体を外すので、木材縦割りの作業効率を向上させるものである。
【考案を実施するための最良の形態】
【００１１】
次に本考案の実施形態について説明する。実施形態に示した楔金具は、楔本体１と、柄体２とで構成される。
【００１２】
楔本体１は、基本的に従前の金矢と称される金具と同様で、頂部に打撃受け部１１を備え、底辺に刃先部１２を備え、更に柄着脱部１３を設けたもので、前記柄着脱部１３は、楔本体１の端面上部（鉞の柄装着箇所と一致）に螺穴で形成されてなる。
【００１３】
柄体２は、適宜な把手部２１を備え、先部に前記柄着脱部（螺穴）１３と対応する装着部（螺棒）２２を備えたものである。
【００１４】
而して楔本体１の柄着脱部（螺穴）１３に、柄体２の装着部（螺棒）２２を螺合装着し、切断対象の木材Ａの所定箇所に楔本体１が位置するように柄体２を握持し、楔本体１をハンマーＢで強打して木材に喰い込ませる（図２イ）。
【００１５】
楔本体１が木材Ａに食い込んで直立状態とした後、柄体２を外し、単体となった楔本体１をハンマーＢで強打して木材の縦割りを行なうものである（図２ロ）。
【００１６】
また本考案は前記の実施形態に限定されるものではなく、前記の螺穴を差込穴とし、螺棒を差込棒としても良いし、また図３に例示するとおり、楔本体１ａの両側面適宜箇所に柄装着部１３ａとして溝部を設け、柄体２ａの先部に前記柄装着部（溝部）１３ａと対応する二股の棒状の装着部２２ａを設け、装着部（二股棒）２２ａの柄装着部（溝部）１３ａへの抜き差しで柄体２ａの着脱を行うようにしても良い。
【図面の簡単な説明】
【００１７】
【図１】本考案の実施形態の全体斜視図。
【図２】同使用状態の説明図。
【図３】同別例の全体斜視図。
【符号の説明】
【００１８】
１，１ａ        楔本体
１１            打撃受け部
１２            刃先部
１３            柄着脱部（螺穴）
１３ａ          柄装着部（溝部）
２，２ａ        柄体
２１            把手部
２２            装着部（螺棒）
２２ａ          装着部（二股棒）
【図１】
0003129483.tif 000003
【図２】
0003129483.tif 000004
【図３】
0003129483.tif 000005
(57)【要約】  【課題】  果物を確実に保持し、かつ、接触等の外力に対して充分対処して当該果物を保護することのできる装置を提供する。  【解決手段】  両端部の網目２ａ，２ａ…を小さくして縮径した合成樹脂製網目シートで成る筒状体Ａ´の一半を外側に順次二重に折り返して構成した四重筒状体のフルーツキャップ体Ａの内側に果物Ｆを嵌合して構成する。【選択図】    図１
0003129407.tif 000002
【実用新案登録請求の範囲】
【請求項１】
両端部の網目を小さくして縮径した網目シートで成る筒状体の一半側を外側に二重に折り返して構成した四重筒状体のフルーツキャップ体の内側に果物を嵌合した、果物の保護装置。
【考案の詳細な説明】
【技術分野】
【０００１】
本考案は、リンゴその他の果物販売の陳列時に当該果物の損傷を防ぐために用いている果物の保護装置に関するものである。
【背景技術】
【０００２】
発泡ポリエチレン製の紐（ストランド）を多数横に並べて外面層のものと内面層のものを互いに交叉させ、互いに重なり合う外面層のものと内面層のものを上下の両端部において融着させて、全体として筒状体とし、該筒状体の前記内面層の内側に果物を係合してこれを保護するようにした構造のものが一般である（例えば、特許文献１）。
【０００３】
そして、前記従来構造のものは、筒状体であるフルーツキャップ表面（外面）にシート片を貼着して当該被保護物（果物）の産地その他の事項を表示するようにしている。
【０００４】
【特許文献１】特開２０００−３０２１８１号公報
【考案の開示】
【考案が解決しようとする課題】
【０００５】
前記従来構造のものは、フルーツを筒状体で一重に包むものであるから、フルーツの保護として必ずしも万全とはいえない。
【課題を解決するための手段】
【０００６】
両端部の網目を小さくして縮径した網目シートで成る筒状体の一半側を外側に二重に折り返して構成した四重筒状体で成るフルーツキャップ体の内側に果物を嵌合した構成とするのである。
【考案の効果】
【０００７】
本考案によれば、網目シートで成る筒状体の両端が下側に、また、筒状体の折り返し部が上側にそれぞれ配置された態様で果物は四重の筒状体で成るフルーツキャップで被装されるから、下部側が窄まり状を呈し、従って、果物は落下するおそれが少なく、果物の上部側は折り返し部で取り囲まれた状態にあるので該折り返し部が、いわば額縁となって果物を美麗に見せ、しかも、視認し易い包み状態にあるので果物の陳列用として好適である。
【０００８】
また、果物は、筒状体によりいわば四重に取り囲まれるから、接触等の外力に対して対処することができ、空気の流通路としての空間を充分に得られるから通気の不足による果物の損傷も防ぐことができる。そして、筒状体を二重に折り返して構成するものであるから、第一の折り返し部と第二の折り返し部との間に該折り返し部で閉止したいわば部屋が形成され、該部屋に、商品の産地その他顧客に対する情報事項を記載したシート片を確実に保護させて収容し、該情報事項は外部から網目を通して認識することができ、陳列時の商品の単なる保護だけでなく、購買意欲をそそる手段としても適用でき、陳列用として好適な装置を提供できる。
【実施例】
【０００９】
図面は本考案に係る果物の保護装置の一実施例を示し、図１は一部欠截正面図、図２はフルーツキャップ体の正面図である。
【００１０】
実施例の果物の保護装置は、フルーツキャップ体Ａに果物Ｆを嵌合して構成したもので、フルーツキャップ体Ａは、左右いずれか一方傾斜上りの一群の内側ストランド１ａ，…と他方傾斜上りの他の一群の外側ストランド１ｂ，…の長手方向の両端側の内外に隣接する両端部同士を互いに融着して両端部Ａａ，Ａｂの網目２ａ，２ａ…を該両端部Ａａ，Ａｂの間の中間部Ａｃの網目２ｂ，２ｂ…より径を小さくして前記両端部Ａａ，Ａｂを窄まり状とした筒状体Ａ´で構成したものである。
【００１１】
そして、実施例のものは、網目シートで成る筒状体Ａ´を、長手方向の中央部位において外側に第一折り返し部８において折り返して、一端側が前端部Ａａ，Ａｂが内外に互いに重なり合う折り返し体とし、該折り返し体の一半を長手方向の中央部位において第二折り返し部９において更に折り返して、すなわち、前記筒状体Ａ´の長手方向の一半を外側に二重に折り返すようにして四重筒状体と成し、該フルーツキャップ体Ａの内側に果物Ｆを嵌合して果物の保護装置としたものである。
【００１２】
また、実施例は、フルーツキャップ体Ａの四重筒状体の構成壁部Ａ１，Ａ２，Ａ３，Ａ４の最も外層側の一対の構成壁Ａ１，Ａ２の間に、前記第一、第二の折り返し部８，９で仕切った部屋１１を備え、該部屋１１にシート片（紙や樹脂製の）Ｓを収納し、フルーツキャップ体Ａでくるんだ果物Ｆに関する産地等の情報事項を記載し、前記網目２ｂ，…を通じて外部から視認できるようにしてある。
【００１３】
実施例の装置を得るには、フルーツキャップ体Ａの一半を第一折り返し部８において折り返して該折り返したものの内側に前記のシート片Ｓを前後して組合わせ、更に、第二折り返し部９において外側に再度折り返して四重筒状体を構成し、該筒状体にフルーツＦを嵌合することにより得るのである。
【図面の簡単な説明】
【００１４】
【図１】一部欠截正面図。
【図２】フルーツキャップ体の正面図。
【符号の説明】
【００１５】
Ａ      フルーツキャップ体
Ａ´    筒状体
２ａ    網目
【図１】
0003129407.tif 000003
【図２】
0003129407.tif 000004
(57)【要約】      （修正有）【課題】シンプルな構成で、製作が容易、意匠的にも優れた側面保持ボードを提供。【解決手段】垂直方向にスリットを形成した方形体による支え本体１と、左右が折り畳みできるようにした方形の板状体による支え補助体２を組み合せて結合することでボード立てを構成する。また、支え本体１を左右に折り畳みできる方形の板状体として、同様に支え補助体２と組み合せて結合してラックを構成する。さらに、支え補助体２を、シートで板を包むことで折り畳みできるように構成している。【選択図】図１
0003129401.tif 000002
【実用新案登録請求の範囲】
【請求項１】
垂直方向にスリットを形成した方形体による支え本体（１）と、左右が折り畳みできる方形の板状体による支え補助体（２）の組み合せ結合で構成されたことを特徴とする、側面保持ボード。
【請求項２】
支え本体（１）を、左右に折り畳みできる方形の板状体とした、請求項１記載の側面保持ボード
【請求項３】
支え補助体（２）を、シートで板を包むことで折り畳みできるように構成した、請求項１あるいは請求項２記載の側面保持ボード。
【考案の詳細な説明】
【技術分野】
【０００１】  この考案は、各種用途を持つボードのボード立てや、ラックなどとして利用する、側面保持ボードに関するものである。
【背景技術】
【０００２】  従来のものは、固定したかさばる容積を持つ衝立てやラックなど、あるいは折り畳める木質やスチールフレームにシートなどを組み合せたラックなどが一般的である。
【考案の開示】
【考案が解決しようとする課題】
【０００３】  従来のものでは、ボード類そのものが使用方法共に未開発で、それらを立てかける適当なボード立ては見あたらず、折り畳み式の隔て板などを見かける程度である。またラックは、ありふれたものが種々あるが、折り畳み式にしても構成が意外に複雑である。室内の小物として違和感なく調和して広く使用できる、しかも収納時にはかさばらないシンプルなものが欠けている。この考案は、上記のような課題に答える技術を提供することを目的としている。
【課題を解決するための手段】
【０００４】  この考案は、上記課題に対して次のような手段を取っている。即ち、垂直方向にスリットを形成した方形体による支え本体と、左右が折り畳みできるようにした方形の板状体による支え補助体を組み合せて結合することで構成する。また、支え本体を左右に折り畳みできる方形の板状体として、同様に支え補助体と組み合せて結合して構成する。さらに、支え補助体を、シートで板を包むことで折り畳みできるように構成している。
【考案の効果】
【０００５】  この考案によると、いずれも方形の二つの部材を組み合せて結合しているので、簡単に取りはずして、偏平にして収納することができる。板状体で、しかも左右両側面を合理的な三角型に構成しているので、軽量かつシンプルな形態を基本に持っている。支え補助体は板を内側に挿入してシートで全体を包み、折り畳めるようにすると、丁番などの折り畳み機構は不要でシンプルな構成となり、製作も簡単になり、意匠的にもすぐれている。ボード立てに利用すると、例えば飾りパネル、掲示板、画板、テーブル板、ついたて、あるいは小物類の整理収納ボードなど、種々の用途を持ったボードの活用を促進することになり、ラックを含めて、シンプルな構成ゆえの意匠効果も大である。また、シートは板から着脱容易にしているので、洗濯、取り替えが容易で、長期使用に耐えられる。
【考案を実施するための最良の形態】
【０００６】  以下、側面保持ボードの実施例について図面により説明する。
【実施例１】
【０００７】  図１は、ボード立てとした実施例を示す斜視図である。薄い板三枚の下部に小角材を挟んで接着して垂直方向のスリットを形成して、支え本体１としている。一方、シートの下方側に挿入スリットを持たせて二重に重ね合せ、方形の袋状にして内側に板三枚を並べた状態で挿入し、左右と中央の板のすき間で左右が折り畳みできるようにしたものを、支え補助体２としている。垂直にした支え本体の中央基底部を支え補助体の中央部に重ねて裏からボルトで結合している。支え本体１は、二本の溝に合せて両端を合せたシートでおおっている。支え補助体２の左右両側を折り畳んでそれぞれ三角型を形成するように支え本体１の四隅で連結している。ボードを立てた状態でのふんばり機能を薄い板状体で合理的に構成しているので、軽快な意匠効果も持っている。なお、ボード立ては、ボード側に様々な用途を積極的に持たせることで応用範囲が広がるものである。ボードの外側をシートで包むことで、ボードの材質は種々考えられるし、ボード立てやラックとの意匠統一の効果もあがる。さらにシートで包むことで、さまざまの小物整理用のポケットなどをつけることも容易である。
【実施例２】
【０００８】  図３は、ラックとした実施例を示す斜視図である。左右二枚の板とやや細巾の板を中央にして、左右の板が折り畳める状態にシートで接合して、支え本体１とする。支え本体１にも、左右二辺を形成するように両端を合せたシートをかぶせている。支え補助体２及び支え本体１との連結は、上記のボード立ての実施形態と同じである。【０００９】  なお、上記の実施例１及び２はいずれもシートを使用しているが、これらの材質は布やレザー、その他さまざまに考えられる。
【図面の簡単な説明】
【００１０】
【図１】  本考案の実施例１を示す斜視図である。
【図２】  本考案の実施例２を示す斜視図である。
【符号の説明】
【００１１】    １    支え本体
２    支え補助体
【図１】
0003129401.tif 000003
【図２】
0003129401.tif 000004
(57)【要約】      （修正有）【課題】従来のいわゆるアームバーの使いにくさを解消し、内側及び外側にどちらでも加圧できるようにして筋力強化のみならず美容効果をも得られるようにする。【解決手段】いわゆるアームバーを概Ｕの字形に曲げ加工した本体（１）と２本のパイプハンドル（３）に分け、それぞれをコイルスプリング（５）で固定接続すれば非力なものでも内側と外側に力をかけることができ、さらには本体（１）が変形しないように補強バー（２）を渡して固定すれば丈夫なものが得られ、更には本体（１）の湾曲部分に直線部（８）を設ければ腹に当てて楽に使用できる。【選択図】図３
0003129404.tif 000002
【実用新案登録請求の範囲】
【請求項１】
概Ｕの字形に曲げ加工されたパイプが力を受けて開いたり閉じたりするなどの変形が起こらないように補強バーが設置された本体の両端と、本体と同寸法のパイプハンドル２本を、密着して巻いたコイルスプリング２本を介在させて固定したもので、両手でハンドルを握り内側や外側に力を加えたときにコイルスプリングが曲げられ、その反発力で腕や胸の筋力を強化するが、外側へも曲げられることで普段鍛えにくい裏側の筋肉を強化することを特徴とするＵの字形リバースアームバー。
【請求項２】
概Ｕの字形に加工されるパイプの曲線部に直線部を有して腹部に当てやすくしてなる請求項１記載のＵの字形リバースアームバー。
【考案の詳細な説明】
【技術分野】
【０００１】本考案は、コイルスプリング両端にパイプ状グリップを装着してこれを曲げるときに起こる反発力を利用する運動器具に関するものである。
【背景技術】
【０００２】  従来、いわゆるアームバーと通称されるコイルスプリングを利用した運動器具において、単純なものでは、２本のパイプの中間に適度な長さの強いコイルスプリングを装着して直線状にし、これを曲げるというものが一般的なものとしてあった。類似的なものには、ロの字形になっていて対面する二辺を握りにし、他の二辺にコイルスプリングを装着してあるものもあった。いずれも両手でコイルスプリングを曲げるという運動行為をさせるもので、後者にはひねりを加えるという機能も付いている。
【考案の開示】
【考案が解決しようとする課題】
【０００３】  従来の技術で述べたように、いわゆるアームバーと通称されるものは曲げることで筋力強化を図ってきたものである。しかし、この構造では逆Ｕの字、つまり下方向へは曲げやすいが上方向へ曲げるときつまりＵの字に曲げようとしても扱いにくく、余程の筋力を有するものしかできなかったし、非力なものには筋力トレーニングに偏りが生じやすいという問題を有していた。従って、従来の技術から発想を転換して、偏りが生じにくいアームバーを提供しようとするものである。
【課題を解決するための手段】
【０００４】  本考案は、請求項１に関して言えば、アームバーを概Ｕの字形に曲げ加工した本体部分と２本のハンドル部分に分け、それぞれをコイルスプリングで固定接続すれば非力なものでも内側と外側に力をかけることができ、さらには本体部分が変形しないように補強バーを渡して固定すれば丈夫なものが得られ、前述の課題を解決できる。【０００５】  請求項２に関していえば、本体の湾曲部分を一部直線化するので、腹に当てて使用でき、前述の課題を更に効果的に解決できる。
【考案の効果】
【０００６】  上述のように、本考案のＵの字形リバースアームバーは腹に当てても使えるなど扱いやすいので、高齢者や非力な女性でも効果的に運動でき、このことは筋力強化のみならずバストアップ及び弛んだ腕の無駄な脂肪を減らすなどの美容効果もあり有用である。
【考案を実施するための最良の形態】
【０００７】    請求項１に関して言えば、本体とハンドルパイプは直径２０から２２ｍｍ程度、肉厚１ｍｍ程度のステンレスなとの錆びにくいものを用いる。これらはスチールパイプにメッキをかけたものや焼付け塗装したカラーのものでも構わない。本体の幅は２５０ｍｍ程度までとし、つまり曲線半径は外寸で１２０から１２５ｍｍ程度にする。本体の高さは１５０から１７０ｍｍ程度が好ましい。補強バーはステンレス等の素材で、両端にねじ切りを施し、本体の両側の穴に差し込み袋ナットで外れないように固定する。又はかしめても構わない。ハンドルパイプのグリップ部分は１２０ｍｍ程度が望ましく、ハンドルパイプ同士の間隔は１５０から１８０ｍｍ程度にして汲いやすくする。ハンドルパイプは少し屈曲させてもよい。コイルスプリングは線径が２から３ｍｍ程度のものを反発力に合わせて選定し密着させた状態で巻くが、内径は本体及びハンドルパイプと同寸もしくはやや大きめにする。長さは反発力を考慮して選定するが、本体のパイプ及びハンドルパイプが両端から最低２０ｍｍは入るようにし、コイルスプリングの中に最低４０ｍｍの空間を確保する。コイルスプリングと本体及びパイプハンドルとの固定は、巻き戻して圧着させるか軟質素材のスリーブを介して圧入するが、他の手段を選んでも構わない。パイプハンドルのエンドにはエンドパーツをはめるか発泡ゴム等の袋状のハンドルカバーを被せれば好ましい。【０００８】  請求項２に関して言えば、本体の幅を２５０ｍｍとすれば最低１００ｍｍは直線部分を設けるのが好ましい。
【実施例】
【０００９】  以下、図面に従って実施例を説明する。１は本体、２は補強バー、３はパイプハンドル、４はハンドルカバー、５はコイルスプリング、６Ａ・６Ｂは固定部、７はリバースアームバー、８は本体の直線部である。
【産業上の利用可能性】
【００１０】  本考案は以上のように構成されるので、スポーツ用品として、あるいは健康器具として提供される可能性が高い。
【図面の簡単な説明】
【００１１】
【図１】  請求項１にある本考案の平面図である。
【図２】  請求項１にある本考案を使用する時の斜視図である。
【図３】  請求項２にある本考案の平面図である。
【図４】  請求項２にある本考案を使用する時の斜視図である。
【符号の説明】
【００１２】１    本体
２    補強バー
３    パイプハンドル
４    ハンドルカバー
５    コイルスプリング
６Ａ・６Ｂ  固定部
７    Ｕの字形リバースアームバー
８    直線部
【図１】
0003129404.tif 000003
【図２】
0003129404.tif 000004
【図３】
0003129404.tif 000005
【図４】
0003129404.tif 000006
(57)【要約】      （修正有）【課題】扇風機とヒーターを一体化し、風と温度を環境及び使用目的により自由自在に設定できることにより、年中使える多目的扇風機とする。【解決手段】本考案は５００Ｗ、７００Ｗ，９００Ｗ，３個のヒーターを組み合わせる事により０Ｗ，５００Ｗ，７００Ｗ，９００Ｗ，１２００Ｗ，１４００Ｗ，１６００Ｗ，２１００Ｗと８段階に温度設定できるヒーターを、微風、清風、強風の各風に組み合わせ２４種類の風を使い分ける事により、扇風機、適度な温風で両手が使える温風ドライヤー、衣服の乾燥用機具、暖房器具として年中使える多目的扇風機となる。【選択図】図１
0003129402.tif 000002
【実用新案登録請求の範囲】
【請求項１】
扇風機にヒーターを組み込み一体化した機具とする事により、扇風機、両手が使える温風ドライヤー、又衣服の乾燥機具、暖房器具として年中使用出来る事を特長とする多目的扇風機
【考案の詳細な説明】
【技術分野】
【０００１】  本考案は、扇風機とヒーターを一体化し、温度と風量を任意に設定できる多目的扇風機に関するものである。
【背景技術】
【０００２】  洗髪をした時、ペットを洗った時、通常ドライヤーで乾かしているが、特にロングヘアーの人、特にペットに対しては強にしても風量は少なく温度調節が出来ないため当然の事時間がかかり片手しか使えず大変である。又片手の不自由な人や小さい子供は一人ではドライヤーを使えない。
【考案の開示】
【考案が解決しようとす課題】
【０００３】  扇風器の使用目的は、夏場涼む事である。又ドライヤーの使用目的は、髪の乾燥整髪であるが、扇風機とヒーターを一体化して各風に熱量を任意に設定する事により前途の欠点を解決し、環境用途により多目的に使用できる機具にしようとするものである。
【課題を解決するための手段】
【０００４】  本考案は、扇風機とヒーターを一体化し、風量３段階に対し、熱量３段階オルタネイト動作のスイッチにする事で任意に組み合わせれば熱量は８段階、２４種類の風の設定可能になる。又扇風機のプロペラは耐熱性の材料にメッキを施しヒーターの反射板としても使用可能な形状とする事により問題点を解決している。
【考案の効果】
【０００５】  扇風機、ドライヤー、暖房器具は各単体であるが、上述のように本考案の多目的扇風機は風量と熱量を任意に設定する事により大きく分けると、熱量０の場合は扇風機、適度な風量と熱量を選ぶ事により両手が使える温風ドライヤー、乾燥用機具、風量０又は微風で暖房器具と４通りの使用が可能となる。特に温風ドライヤーとして使用する場合対象物と環境により任意に風量と熱量が選べるから適温な風の中で両手が使え、ロングヘアーやペットを乾かすには最適であり、赤ちゃんなら抱いた状態で乾かせる。又片手の不自由な人や高齢者、小さい子供でも最適なセットをしてあげれば一人で出来る。又梅雨時には乾燥機に入れたくない衣服や部屋に干しても乾ききらない洗濯物の乾燥用機具としても最適である。
【考案を実施するための最良の形態】
【０００６】  扇風機のプロペラは、耐熱性の材料であり形状は正面から見たときプロペラ同士が重なっているような形状でメッキを施したものとする。その前面に５００Ｗ，７００Ｗ，９００Ｗ，の３個のヒーターを取付け一体化した機具とし、現行の扇風機の操作ボタンに各ヒーターのスイッチをオルタネイト動作のもので３個追加する。
【実施例】
【０００７】  以下添付図面に従って実施例を説明する。扇風機本体は現在市場にあるものを前提とするが、７のプロペラは耐熱性で正面から見て各羽が重なっている形状としメッキを施したものである。１２のヒーター取付けベースと、３ヒーター取付けベース兼配線ダクトで４５６各ヒーターを固定する。８は後側カバー９は前面カバーである。【０００８】  操作に関する実施例を説明する。微風、清風、強風、各風に対しヒータースイッチの組み合わせにより、０Ｗ，５００Ｗ，７００Ｗ，９００Ｗ，１２００Ｗ，１６００Ｗ，２１００Ｗ，と熱量８段階任意に選べる事により２４種類の風が設定可能となる。
【産業上の利用可能性】
【０００９】  本考案の一実施例は上述の如き構成からなるものであるから、涼むための扇風機、環境用途に合った暖かい風の中で乾かす両手が使える温風ドライヤー、衣服の乾燥用機具、暖房器具と多目的に使用可能な機具となる。
【図面の簡単な説明】
【００１０】
【図１】本考案の多目的扇風機のプロペラとヒーターを一体化した実施例を示す正面図である。
【図２】本多目的扇風機の切欠断面図である。
【符号の説明】
【００１１】  １  ヒーター取付けベース
２  ヒーター取付けベース
３  ヒーター取付けベース兼配線ダクト
４  ヒーター５００Ｗ
５  ヒーター７００Ｗ
６  ヒーター９００Ｗ
７  プロペラ兼反射板
８  後側カバー
９  前面カバー
【図１】
0003129402.tif 000003
【図２】
0003129402.tif 000004
(57)【要約】      （修正有）【課題】美顔のみならず手足などの通常のマッサージにも使用できる軽便で効果の高いローラーハンディマッサージ器を提供する。【解決手段】一本の金属線材を用い、概コの字形のローラー保持枠部（３）と、これに対して直角に曲げてハンドルのループ部（５）を作って戻し、さらにはローラー保持枠部（３）にかけて再度曲げ戻して、親指などで押せば反発するように形成されるハンドル（２）及びスプリングハンドル（６）からなる概Ｔ字型のフレーム（１）を有し、かつ、そのローラー保持枠部（３）が口の字形に閉じる前に、貫通穴を有する金属球（４）二個を連通させた後に曲げて閉じ、自由に回転及び左右に各自が揺動できるように構成されてなるボールローラーマッサージャー（７）。【選択図】図１
0003129403.tif 000002
【実用新案登録請求の範囲】
【請求項１】
一本の金属線材を用い、概コの字形のローラー保持枠部と、これに対して直角に曲げてループを作って戻し、さらにはローラー保持枠部にかけて再度曲げ戻して、親指などで押せば反発するように形成されるハンドル及びスプリングハンドルからなる概Ｔ字型のフレームを有し、かつ、そのローラー保持枠部が口の字形に閉じる前に、貫通穴を有する金属球二個を連通させた後に曲げて閉じ、自由に回転及び左右に各自が揺動できるように構成されてなるボールローラーマッサージャー。
【請求項２】
直径が２５ｍｍの金属球で、かつそれぞれが３ｍｍ離れるようにしてなる請求項１記載のボールローラーマッサージャー。
【考案の詳細な説明】
【技術分野】
【０００１】本考案は回転軸を有するローラー使用のハンディマッサージ器具に関するものである。
【背景技術】
【０００２】  従来、回転軸を有するローラーを使用のハンディマッサージ器具には各種の考案があった。基本的には回転体であるローラーの押圧によりマッサージ効果を得るものであるが、ローラーの形状から分類すれば、円筒及び段付き円筒、球及び楕円球を使用するものがある。ローラーには突起又は溝のあるもの、更には吸引機能を有するための凹部を設けたものもあり、これらを単独か又は複数個を軸に通して一本のローラーにするが、これらを複数用いた多軸のものもある。又、ローラーとハンドルの関係を見れば、例えばハンドルとローラーが一直線になるものとＴ字型になるものがあった。Ｔ字型では、謄写版ローラーのようなローラー保持部が口の字に閉じているものと、塗装用などに見られる了の字のような片持ちになっているものがある。他にはハンドル付き台の裏に多軸ローラーを設けてあるものもある。片手で持つものと両手で持つものがあるが必ずしも持ちやすい形体ではなかった。【０００３】  ローラーの素材はステンレスなどのスチールや磁性を持たせたものや樹脂、石材、木製などがあった。又、ゲルマニウム合金などを用いて回転押圧によるマッサージ効果のみならず遠赤外線やマイナスイオンで効果を高める美容用のものもあった。抗菌加工をしたもの、金属アレルギー防止処理を施したものもあった。
【考案の開示】
【考案が解決しようとする課題】
【０００４】  従来の技術で述べたように、ローラーを使用するハンディマッサージ器具は手に持って簡便に顔や頭、手足を回転押圧するものであったが、美顔は美顔専用であり、手足などマッサージするものとは明らかに構造が異なり、併用できるものはなかった。本考案は美顔と手足などの通常のマッサージにも使用できる軽便で効果の高いローラーハンディマッサージ器を提供することにより従来の欠点を解決しようとするものである。
【課題を解決するための手段】
【０００５】  本考案は、真球度の高い貫通穴を有する大型のステンレスなどの金属球を二個用い、かつ軽量なステンレス線材などによりハンドルと一体に形成された本体の保持枠部にこれらを収め回転できるようにしてあり、しかも金属球が揺動するので顎や頬や眉など顔の複雑な形状にも対応できるとともに、腕や手のひら及び指などのマッサージも可能になり、かつハンドルの一部が撓むことにより握る力が変化するので、手足など広い面でもバランス的に持ちやすくなっているので前述の欠点を解決している。
【考案の効果】
【０００６】  上述のように、本考案のボールローラーマッサージャーは、顔などの美容用のみならず通常のマッサージ器としても使用できるので、別々のものを購入する必要がなく、かつシンプルな構造で錆び難い全金属製なので室内のみならず風呂などでも故障なく使用できるので有用である。
【考案を実施するための最良の形態】
【０００７】    請求項１に関して言えば、概コの字形のローラー保持枠部と、これに対して直角に曲げてループを作って戻し、さらにはローラー保持枠部にかけて再度曲げ戻して、親指などで押ぜば反発するように形成されるハンドル及びスプリングハンドルからなる概Ｔ字型の構造体にし、かつ、そのローラー保持枠部が口の字形に閉じる前に、直径２３から２７ｍｍで貫通穴を有する金属球二個を連通させた後に曲げて閉じ、自由に回転及び左右に各自が揺動できるようにすれば顔のみならず身体各部の凹凸に概ね対応できる。【０００８】  請求項２に関して言えば、直径が２５ｍｍの金属球を用い、それぞれが３ｍｍ離れるようにしてあれば顔などの微妙な凹凸に対応できる。
【実施例】
【０００９】  以下、図面に従って説明する。１はフレームで、直径３ｍｍのステンレス線材、例えばＳＵＳ３０４の焼きなましたものを用いてフォーミング機又は部分的に手加工などで一体に曲げ加工する。全長は２のハンドルを含めて１３０ｍｍ程度とする。３はローラー保持枠部で、外幅は５８ｍｍ程度、外高さは２７ｍｍ程度にする。４は金属球で、直径２５ｍｍのステンレス製ボールベアリングのような真球度の高いものに穴径４．５ｍｍの貫通穴を穿いてバリ処理をしたものを用いる。５はハンドルのループ部で半径８から１０ｍｍ程度とする。６はスプリングハンドルで、幅は２８から３０ｍｍ程度にする。いずれも加工上で曲げやすい寸法を優先して構わないが、金属球同士の間隔は３ｍｍとなるようにする。４の金属球及び１のフレーム本体を金メッキしても構わない。
【産業上の利用可能性】
【００１０】  本考案は以上のように構成されるので、顔などの美容器具としても、一般用とのマッサージ器具としても汎用性が高く、特に高齢化社会においては健康の維持に、又、スポーツの怪我や疲労回復などにも有用であり、家庭用及び美容業務用として広く提供できる。
【図面の簡単な説明】
【００１１】
【図１】  本考案のボールローラーマッサージャーを手に持った時の斜視図である。
【図２】  本考案のボールローラーマッサージャーを指に使用する時の斜視図である。
【図３】  本考案のボールローラーマッサージャーを顔に使用する時の斜視図である
【符号の説明】
【００１２】  １    フレーム
２    ハンドル
３    ローラー保持枠部
４    金属球
５    ハンドルのループ部
６    スプリングハンドル
７    ボールローラーマッサージャー
【図１】
0003129403.tif 000003
【図２】
0003129403.tif 000004
【図３】
0003129403.tif 000005